(57)【要約】【課題】真空断熱パネルの交換を容易に行う。【解決手段】左面真空断熱パネル６Ｄなどそれぞれ備えた断熱板により底面、側面及び天面が形成され、内側に収納空間３を形成する。前記底面、側面及び天面の少なくとも一つの面部材に左面真空断熱パネル６Ｄなどを分離可能な保持手段である左面用袋体10Ｄなどを設ける。外側容器２の内側に発泡材からなる内側容器４が収納される。例えば破損した左面真空断熱パネル６Ｄのみを交換することができる。また、収納空間３が汚れたときには、内側容器４のみを交換すればよく便利である。【選択図】図６
2008133014.tif 000002
【特許請求の範囲】
【請求項１】
底面、側面及び天面が形成され、内側に収納空間を形成した断熱容器において、前記底面、側面及び天面の少なくとも一つに真空断熱パネルを分離可能な保持手段を設けたことを特徴とする断熱容器。
【請求項２】
前記真空断熱パネルの外側面部外側に添って該真空断熱パネルを覆う保護材を設けたことを特徴とする請求項１記断熱容器。
【請求項３】
前記真空断熱パネルを出し入れ口を介して挿入する袋体を前記保持手段として前記面部材の内側に設けたことを特徴とする請求項１又は２記載の断熱容器。
【請求項４】
前記複数の袋体を一体に設けたことを特徴とする請求項３記載の断熱容器。
【請求項５】
前記容器の内側に発泡材からなる内側容器が収納され、前記内側容器は内側上部を開口した内側容器本体と、前記内側上部の開口を閉蓋する内側天蓋を備えたことを特徴とする請求項１〜４のいずれか１項に記載の断熱容器。
【発明の詳細な説明】
【技術分野】
【０００１】
本発明は、真空断熱パネルを備えた断熱容器に関するものである。
【背景技術】
【０００２】
従来、この種のものとして、内部を真空或いは減圧した薄板状の真空断熱パネルの外側を、独立気泡の断熱材で覆って断熱板を形成し、この断熱板により収納部を囲うように配置した保冷ボックスが知られている（例えば特許文献１）。
【特許文献１】実用新案登録第３０７８８６６号公報
【発明の開示】
【発明が解決しようとする課題】
【０００３】
上記従来技術においては、真空断熱パネルは、蒸着フィルムやアルミラミネートフィルムを表装に用いているため、先端のとがったものなどに接触すると破れて真空が破損されることが多々あった。この真空層が破損されると、断熱能力が落ちるので、真空断熱パネルを取り替える必要があるが、簡単に交換することができにくいものであった。
【０００４】
また、製造途中で縫製工程がある場合には、縫製した内側に、真空断熱パネルを内蔵することが多いが、縫製時の取り扱いに注意が必要であるので、コストがかかるばかりか、縫製時に針で穴を開けてしまう不良が発生するおそれもある。しかも、真空断熱パネル、特にその四隅は、非常に弱く、少しの衝撃を加えるだけで真空層が破損されるほどの孔が発生しやすい。
【０００５】
また、従来技術の場合、被収納物を直接断熱板に囲まれた収納空間に収納するものであったので、断熱板の内部が汚れた場合であっても、断熱容器が高価であるため、断熱容器の買い替えが困難であった。
【０００６】
解決しようとする問題点は、真空断熱パネルを備えた断熱板により内側に収納空間を形成した断熱容器において、真空断熱パネルの交換を容易に行うことができ、また真空断熱パネルの保護を図り、さらに断熱容器の収容空間が汚れた場合であっても、良好に対応することができる断熱容器を提供する点である。
【課題を解決するための手段】
【０００７】
請求項１の発明は、底面、側面及び天面が形成され、内側に収納空間を形成した断熱容器において、前記底面、側面及び天面の少なくとも一つに真空断熱パネルを分離可能な保持手段を設けたことを特徴とする断熱容器である。
【０００８】
請求項２の発明は、前記真空断熱パネルの外側面部外側に添って該真空断熱パネルを覆う保護材を設けたことを特徴とする請求項１記断熱容器である。
【０００９】
請求項３の発明は、前記真空断熱パネルを出し入れ口を介して挿入する袋体を前記保持手段として前記面部材の内側に設けたことを特徴とする請求項１又は２記載の断熱容器である。
【００１０】
請求項４の発明は、前記複数の袋体を一体に設けたことを特徴とする請求項３記載の断熱容器である。
【００１１】
請求項５の発明は、前記容器の内側に発泡材からなる内側容器が収納され、前記内側容器は内側上部を開口した内側容器本体と、前記内側上部の開口を閉蓋する内側天蓋を備えたことを特徴とする請求項１〜４のいずれか１項に記載の断熱容器である。
【発明の効果】
【００１２】
請求項１の発明によれば、保持手段を設けたことにより、真空断熱パネルのみを交換することができる。
【００１３】
請求項２の発明によれば、保護材を設けたことにより、突起物などの耐突刺し強度を向上できる。
【００１４】
請求項３の発明によれば、袋体を前記保持手段として設けたことにより、真空断熱パネルを出し入れして容易に交換することができる。
【００１５】
請求項４の発明によれば、袋体を箱型などに組立てでき、この組立て状態でも真空断熱パネルなどを簡単に挿入することなどができる。
【００１６】
請求項５の発明によれば、収納空間が汚れたときには、内側容器のみを交換すればよく便利である
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図は実施例１を示しており、断熱容器は、外側天蓋１を備えると共に外側上部を開口した外側容器２と、この外側容器２の内側に嵌合して収納され内部に収納空間３を形成した内側容器４とを備えている。外側容器２は、ソフトクーラーなどと称する外側容器本体５と、この外側容器本体５の内側に配置される真空断熱パネル６Ａ，６Ｂ、６Ｃ，６Ｄ，６Ｅから形成される。内側容器４は内側上部を開口した内側容器本体７と内側天蓋８を備えている。この内側容器４は発泡クーラーボックスなどと称せられているものであり、前記内側容器本体７と内側天蓋８は発泡樹脂、例えば発泡ＰＰにより形成されている。
【００１９】
外装体としての前記外側容器本体５は、直方形状をなしており、平面が矩形の外側底面板部５Ａの前左右に、外側前面板部５Ｂ、外側後面板部５Ｃ、外側左板部５Ｄ及び外側右板部５Ｅが立設しており、外側後面板部５Ｃの上縁に外側上部開口５Ｆを閉蓋可能な外側天面板８の後縁が回動自在に接続している。この閉蓋は、外側天面板８の縁と外側上部開口５Ｆとを固定手段である蓋ファスナー９により開閉できるようになっている。これら外側前面板部５Ｂなどは、表面をポリエステル製、内面をＰＶＣ（ポリ塩化ビニル）製で二重にし、その間にポリエチレン製の発泡シート、発泡ウレタンシートを必要に応じて積層させている。尚、これらは周知のソフトクーラーと称せられている製品群と同じように縫製により作られており、外側左板部５Ｄ及び外側右板部５Ｅには取手５Ｈが設けられている。
【００２０】
前記外側底面板部５Ａ、外側前面板部５Ｂ、外側後面板部５Ｃ、外側左板部５Ｄ、外側右板部５Ｅ及び外側天面板８のそれぞれの内面側には、平板状の底面真空断熱パネル６Ａ、前面真空断熱パネル６Ｂ、後面真空断熱パネル６Ｃ、左面真空断熱パネル６Ｄ、右面真空断熱パネル６Ｅ及び天面真空断熱パネル６Ｆが設けられている。底面真空断熱パネル６Ａなどは、正面が矩形の表板部と裏板部との間に真空層を形成すると共に、それらの全縁を接続して１枚の板状に形成したものである。
【００２１】
そして、これら底面真空断熱パネル６Ａ、前面真空断熱パネル６Ｂ、後面真空断熱パネル６Ｃ、左面真空断熱パネル６Ｄ、右面真空断熱パネル６Ｅ及び天面真空断熱パネル６Ｆは、外側底面板部５Ａ、外側前面板部５Ｂ、外側後面板部５Ｃ、外側左板部５Ｄ、外側右板部５Ｅ及び外側天面板８に一体に固定されるものではなく、交換可能なように取り付け用の底面用袋体10Ａ、前面用袋体10Ｂ、後面用袋体10Ｃ、左面用袋体10Ｄ、右面用袋体10Ｅ及び天面用袋体10Ｆを介して一体的に取り付けられている。これら前面用袋体10Ｂなどは扁平形状であって、ポリエステルなどの水分を通しにくい材質により形成されており、前面真空断熱パネル６Ｂとほぼ同じ大きさ或いは僅かに大きく形成されたものであり、前面真空断熱パネル６Ｂの全面を覆うことができるようになっている。そして正面が矩形をなした前面用袋体10Ｂは上縁に、前面真空断熱パネル６Ｂが挿入可能であって前面用袋体10Ｂの内外を連通する前面出し入れ口11Ｂが形成されており、この前面出し入れ口11Ｂには、該前面出し入れ口11Ｂを閉塞可能な前面出し入れ口カバー12Ｂが折り曲げ可能に設けられており、この前面出し入れ口カバー12Ｂと前面出し入れ口11Ｂは固定手段である雄側及び雌側のカバー固定用面ファスナー13を介して固定できるようになっている。
【００２２】
さらに、前面用袋体10Ｂ内においては前面真空断熱パネル６Ｂの外側に前面用保護材14Ｂを挿入している。前面用保護材14Ｂは、前面真空断熱パネル６Ｂの外側面部を覆うことができる大きさであって、例えば合成樹脂板や金属板あるいは木板であって、少なくとも外側容器本体５を形成する材質よりも大きい耐強度を有している。
【００２３】
同様に、後面用袋体10Ｃ、左面用袋体10Ｄ及び右面用袋体10Ｅの上縁に内外を連通する後面出し入れ口11Ｃ、左面出し入れ口11Ｄ、右面出し入れ口１１Ｅが形成されており、これら箇所には、後面出し入れ口カバー12Ｃ、右面出し入れ口カバー12Ｄ、右面出し入れ口カバー12Ｅが設けられている。また、平面が矩形をなした底面用袋体10Ａは四方の縁のうちいずれか一方に底面出し入れ口11Ａが形成されており、この底面出し入れ口11Ａに底面出し入れ口カバー12Ａが折り曲げ可能に設けられている。また、平面が矩形をなした天面用袋体10Ｆは外側天面板８の内面に沿って逢着されており、この天面用袋体10Ｆの四方の縁のうちいずれか一方に天面出し入れ口11Ｆが形成されており、この天面出し入れ口11Ｆに天面出し入れ口カバー12Ｆが折り曲げ可能に設けられている。そして、それぞれの後面用袋体10Ｃ、左面用袋体10Ｄ、右面用袋体10Ｅ、底面用袋体10Ａ及び天面用袋体10Ｆにも、後面用保護材14Ｃ、左面用保護材14Ｄ、右面用保護材14Ｅ、底面用保護材14Ａ、天面用保護材14Ｆが挿入されている。
【００２４】
さらに、底面用袋体10Ａの縁の四方に前面用袋体10Ｂ、後面用袋体10Ｃ、左面用袋体10Ｄ及び右面用袋体10Ｅの下縁を回動自在に接続しており、さらに前面用袋体10Ｂ、後面用袋体10Ｃ、左面用袋体10Ｄ及び右面用袋体10Ｅにおける隣接する側縁の一方と他方は、固定手段である雄側及び雌側の袋体固定用面ファスナー15を介して固定できるようになっている。したがって展開時には底面用袋体10Ａ、前面用袋体10Ｂ、後面用袋体10Ｃ、左面用袋体10Ｄ及び右面用袋体10Ｅは平面が十字状に一体に配置されており、組立て時には上部を開口すると共に自立可能な箱型形状に形成される。
【００２５】
尚、カバー固定用面ファスナー13、袋体固定用面ファスナー15は外側を向いている方が内側容器４の収容上都合がよく、袋体固定用面ファスナー15は蓋ファスナー９よりも下に折り返しの端面がくることが好ましい。これは蓋ファスナー９の開閉に四方をきたさないようにするためである。また、袋体固定用面ファスナー15が容器内側を向いている場合には、内側容器４の内側天蓋８よりも下に折り返しの端面が来るようにすることが好ましい。底面の底面用袋体10Ａ部分には、特に制約はないが、外側に底面真空断熱パネル６Ａの底面出し入れ口11Ａがくるようにすることが望ましい。
【００２６】
次に前記構成について説明する。使用時においては、外側容器本体５の内側に、組み立てられると共に、真空断熱パネル、その外側に保護材を挿入した袋体を挿入、嵌合し、さらにその内側に内側容器本体７を挿入、嵌合する。そして収納空間３に被収納物（図示せず）を例えば氷（図示せず）と共に収納する。
【００２７】
次に、内側上部を内側天蓋８により閉蓋する。さらに、外側上部開口５Ｆを外側天面板８により閉蓋すると共に、蓋ファスナー９を閉じて固定する。このような被収納の収納状態にあっては、収納空間３の外側に、内側容器本体７と内側天蓋８、さらにその外側に底面真空断熱パネル６Ａ、前面真空断熱パネル６Ｂ、後面真空断熱パネル６Ｃ、左面真空断熱パネル６Ｄ、右面真空断熱パネル６Ｅ及び天面真空断熱パネル６Ｆ、さらにその外側に外側容器本体５、外側天面板８が配置されており、これらの断熱作用により被収納物は保冷される。特に、内側容器４を内蔵することにより、冷気が均等に真空断熱パネルに伝わり、断熱効果を向上させる。
【００２８】
このような保冷状態或いは収納空間３が空の状態であっても、例えば運搬途中での車内の突起物（図示せず）などがぶつかった場合外側容器本体５や外側天面板８を通り抜けて真空断熱パネル６Ａ，６Ｂ、６Ｃ，６Ｄ，６Ｅ，６Ｆに達して、真空断熱パネルに穴があくなどして真空断熱機能が低下してしまうおそれがあるが、底面真空断熱パネル６Ａ、前面真空断熱パネル６Ｂ、後面真空断熱パネル６Ｃ、左面真空断熱パネル６Ｄ、右面真空断熱パネル６Ｅ及び天面真空断熱パネル６Ｆの外側には、それぞれこれらを覆うような底面用保護材14Ａ、前面用保護材14Ｂ、後面用保護材14Ｃ、左面用保護材14Ｄ、右面用保護材14Ｅ、天面用保護材14Ｆが配置されていることにより、突起物が真空断熱パネルに達するようなことを阻止することができる。そして、蓋ファスナー９を開いて外側天蓋１を開き、引き続いて内側天蓋８を開いて収納空間３をあらわして、被収納物を取り出すものである。
【００２９】
尚、内容器が汚れたときには、内容器を外容器より取り出して新たな内容器を外容器に挿入して、収納空間３を衛生的に保つようにする。
【００３０】
さらに、万一真空断熱パネルが破損した場合にはこれを新たなものと交換する。この交換は、まず、内容器を外容器より取り出した後に、さらに一体化された袋体を取り出す。そして破損した真空断熱パネルを交換するものである。例えば左面真空断熱パネル６Ｄが破損した場合には、左面用袋体10Ｄと前面用袋体10Ｂ間の袋体固定用面ファスナー15を外し、また左面用袋体10Ｄと後面用袋体10Ｃの袋体固定用面ファスナー15を外し、さらに右面出し入れ口カバー12Ｄをカバー固定用面ファスナー13を外して開き、そして破損した左面真空断熱パネル６Ｄを右面出し入れ口カバー12Ｄを通して取り出し、新たな左面真空断熱パネル６Ｄを再び挿入する。この際、左面真空断熱パネル６Ｄの外側に左面用保護材14Ｄを配置するようにする。そして、カバー固定用面ファスナー13により右面出し入れ口カバー12Ｄを閉じ、さらに袋体固定用面ファスナー15により左面用袋体10Ｄと前面用袋体10Ｂ間、また左面用袋体10Ｄと後面用袋体10Ｃ間を固定するものである。
【００３１】
以上のように、前記実施例では請求項１に対応して、左面真空断熱パネル６Ｄなどそれぞれ備えた断熱板により底面、側面及び天面が形成され、内側に収納空間３を形成した断熱容器において、前記底面、側面及び天面の少なくとも一つの面部材に左面真空断熱パネル６Ｄなどを分離可能な保持手段である左面用袋体10Ｄなどを設けたことにより、例えば破損した左面真空断熱パネル６Ｄのみを交換することができる。
【００３２】
また、前記実施例では請求項２に対応して、前記左面真空断熱パネル６Ｄなどの外側に該左面真空断熱パネル６Ｄの外側面部を覆う左面用保護材14Ｄなどを設けたことにより、突起物などの耐突刺し強度を向上でき、さらに補強作用により断熱容器全体の強度も向上することができる。
【００３３】
さらに、前記実施例では請求項３に対応して、前記左面真空断熱パネル６Ｄなどを左面出し入れ口11Ｄを介して挿入する左面用袋体10Ｄなどを前記保持手段として前記外側左板部５Ｄなどの内側に設けたことにより、例えば破損した左面真空断熱パネル６Ｄを出し入れして容易に交換することができる。また、真空断熱パネルはその挿入に便利になるだけでなく、縫製後に左面真空断熱パネル６Ｄなどを挿入することができるので、製造時の不良率を低減できる。
【００３４】
また、実施例では、前記断熱容器は、外側上部を開口した外側容器２と前記外側上部の開口を閉蓋する外側天蓋１を備え、前記外側容器本体５の底部内側及び側部内側に左面真空断熱パネル６Ｄなどの真空断熱パネルを挿入する左面用袋体10Ｄなどの袋体をそれぞれ設けたことにより、各部にそれぞれ平板状の左面真空断熱パネル６Ｄなどを配置することができる。
【００３５】
しかも、前記実施例では請求項４に対応して前記左面用袋体10Ｄなどの複数の袋体を一体に設けたことにより、左面用袋体10Ｄなどを箱型などに袋体固定用面ファスナー15を利用して組立てでき、この組立て状態でも左面真空断熱パネル６Ｄなどを簡単に挿入することができる。また、内側容器４を挿入したときにおいても挿入しやすくなる。
【００３６】
さらに、前記実施例では請求項５に対応して、前記外側容器２の内側に発泡材からなる内側容器４が収納され、前記内側容器４は内側上部を開口した内側容器本体７と、前記内側上部の開口を閉蓋する内側天蓋８を備えたことにより、冷気が均等に左面真空断熱パネル６Ｄなどに伝わり、断熱効果を向上させる。また、収納空間３が汚れたときには、内側容器４のみを交換すればよく便利である。しかも、被収納物が左面真空断熱パネル６Ｄなどに直接衝撃を与えることから防御するなど耐荷重性も向上できる。また、内側容器４は、高温側から低温側までの緩衝作用も有しているので、左面真空断熱パネル６Ｄなどに高負荷がかかることを抑制することができる。
【産業上の利用可能性】
【００３７】
以上のように本発明に係る断熱容器は、各種の用途に適用できる。例えば、空断熱パネルの周囲に発泡ウレタンなどを充填してパネルが露出しないようにしたり、真空断熱パネルの４隅の保護のためにゴム製の保護部材を設けて耐衝撃性を向上したりしてもよい。
【図面の簡単な説明】
【００３８】
【図１】本発明の実施例１を示す全体の分解斜視図である。
【図２】本発明の実施例１を示す外側天蓋を開いた状態の斜視図である。
【図３】本発明の実施例１を示す要部の斜視図である。
【図４】本発明の実施例１を示す外側天蓋を閉じた状態の斜視図である。
【図５】本発明の実施例１を示す袋体の展開状態を示す斜視図である。
【図６】本発明の実施例１を示す概略断面図である。
【図７】袋体の展開状態を示す長手方向の断面図である。
【図８】袋体の展開状態を示す図７の交差方向の断面図である。
【符号の説明】
【００３９】
１  外側天蓋
２  外側容器
３  収納空間
４  内側容器
５  外側容器本体
６Ａ  底面真空断熱パネル
６Ｂ  前面真空断熱パネル
６Ｃ  後面真空断熱パネル
６Ｄ  左面真空断熱パネル
６Ｅ  右面真空断熱パネル
６Ｆ  天面真空断熱パネル
７  内側容器本体
８  内側天蓋
10Ａ  底面用袋体（保持手段）
10Ｂ  前面用袋体（保持手段）
10Ｃ  後面用袋体（保持手段）
10Ｄ  左面用袋体（保持手段）
10Ｅ  右面用袋体（保持手段）
10Ｆ  天面用袋体（保持手段）
11Ａ  底面出し入れ口
11Ｂ  前面出し入れ口
11Ｃ  後面出し入れ口
11Ｄ  左面出し入れ口
11Ｅ  右面出し入れ口
11Ｆ  天面出し入れ口
14Ａ  底面用保護材
14Ｂ  前面用保護材
14Ｃ  後面用保護材
14Ｄ  左面用保護材
14Ｅ  右面用保護材
14Ｆ  天面用保護材
【図１】
2008133014.tif 000003
【図２】
2008133014.tif 000004
【図３】
2008133014.tif 000005
【図４】
2008133014.tif 000006
【図５】
2008133014.tif 000007
【図６】
2008133014.tif 000008
【図７】
2008133014.tif 000009
【図８】
2008133014.tif 000010